(57)【要約】【課題】従来の多心光ファイバテープ心線の単心分離装置は、クロージャに取り付けるための固定装置が下方に配置されており、クロージャの種類によっては取り付けが困難であった。【解決手段】一対の側壁と、この両側壁を橋渡しするように固定された複数の平行ガイドレールと、これらのガイドレール上をスライド可能としこれらガイドレールに固定可能な一対のクランプ台と、この一対のクランプ台間で前記ガイドレール上をスライドする単心分離工具台とを含み、前記一対のクランプ台には多心光ファイバテープ心線を把持する光ファイバ把持部を備え、単心分離工具台には光ファイバ把持部で把持された多心光ファイバテープ心線を単心光ファイバに分離する単心分離工具を備え、一対の側壁の上部にはクロージャフレームの上部に吊り下がる係合片が配置されたことを特徴とする。これにより上記課題を解決することができる。【選択図】  図１
2007163522.tif 000002
【特許請求の範囲】
【請求項１】
互いに間隔を隔てて配置された一対の側壁と、この両側壁を結合するように固定された互いに平行に配置された複数のガイドレールと、これらのガイドレール上をスライド可能としこれらガイドレールの少なくとも１つに固定可能な一対のクランプ台と、この一対のクランプ台間で前記ガイドレール上をスライドする工具台とを含み、前記一対のクランプ台には多心光ファイバテープ心線の長手方向の互いに離れた位置を把持する光ファイバ把持部を備え、工具台には光ファイバ把持部で把持された多心光ファイバテープ心線を分離する分離工具を備え、一対の側壁の上部にはクロージャフレームの上部に吊り下がる係合片が配置されたことを特徴とする多心光ファイバテープ心線の分離装置。
【請求項２】
側壁は、コ字形状の上下一方の辺を逆方向に回転させた断面形状を有し、その下辺部に複数のガイドレールが固定されたことを特徴とする請求項１に記載の多心光ファイバテープ心線の分離装置。
【請求項３】
係合片は上記上辺部からの高さ方向の距離が調整可能に取り付けられていることを特徴とする請求項１又は請求項２に記載の多心光ファイバテープ心線の分離装置。
【請求項４】
係合片は側壁からの奥行きの距離が調整可能に取り付けられていることを特徴とする請求項１乃至請求項３のいずれか１に記載の多心光ファイバテープ心線の分離装置。
【発明の詳細な説明】
【技術分野】
【０００１】
本発明は、多心光ファイバテープ心線を複数の光ファイバ心線に分離する多心光ファイバテープ心線の分離装置に関する。
【背景技術】
【０００２】
近年、光加入線路網の構築が急速に進んでおり、一般住宅に光ファイバ心線を引き込む工事が頻繁に行われている。
従来、光ケーブルの中に収容されている多心光ファイバテープの中から必要な光ファイバ心線を取り出すために、活線状態で多心光ファイバテープから任意の光ファイバ心線を分離する多心光ファイバテープ心線の分離装置が提供されている。（例えば特許文献１）
【０００３】
特許文献１に開示された多心光ファイバテープ心線の単心分離装置は、光ケーブルから取り出された多心光ファイバテープを片手で持ち、他方の手で単心分離工具を持って単心分離工具に備えられた刃を多心光ファイバテープに沿って移動させる方式の従来手法での様々な課題を解決できるものである。
【０００４】
即ち、特許文献１に開示された多心光ファイバテープ心線の単心分離装置１は、図８〜図９に示すように、左右両側に立設された断面がＬ字形状の固定用脚部３Ｌ、３Ｒが設けられ、この固定用脚部３Ｌ、３Ｒ上に左右方向へ延伸された可動フレーム５が設けられ、この可動フレーム５の左右両側にそれぞれ上下方向へ延伸した逆Ｌ字形状のクランプ用固定フレーム７と上下方向へ延伸した固定フレーム９とが設けら、前記クランプ用固定フレーム７と固定フレーム９間に左右方向へ延伸された複数のスライドレール１１が上下に適宜な間隔をあけて設けられ、前記可動フレーム５が前記固定用脚部３Ｌ、３Ｒに対して前後方向図１０および図１１において左右方向へ移動可能に設けられているものである。
【０００５】
前記クランプ用固定フレーム７の上部には多心光ファイバテープ心線Ｔを固定せしめる固定クランプ１３が備えられ、前記固定フレーム９の内側には、前記スライドレール１１に沿って左右方向へ僅か移動可能で、上下方向へ延伸したクランプ用可動フレーム１５が設けられていると共に、このクランプ用可動フレーム１５の上部には前記多心光ファイバテープ心線Ｔを固定せしめる可動クランプ１７が備えられている。前記スライドレール１１に沿って前記クランプ用固定フレーム７と前記クランプ用可動フレーム１５との間で左右方向へ移動可能で、分離工具装置１９を上部に備えた断面逆Ｌ字形状の分離工具用移動フレーム２１が設けられている。
【０００６】
この分離工具用移動フレーム２１の上部に備えられた分離工具装置１９は、図１１に示すように、分離工具用移動フレーム２１の上部に工具台２３が設けられていると共にこの工具台２３の上部にすでに公知の上刃と下刃などからなる分離工具２５が設けられている。そして、前記工具台２３に分離工具２５をトグル機構などにより押さえる工具押さえ装置２７が備えられている。
【０００７】
前記可動クランプ１７により多心光ファイバテープ心線Ｔをクランプしたときにクランプ用可動フレーム１５を図８において右方向に付勢して多心光ファイバテープ心線Ｔに一定のテンションを与えるためにテンション装置であるスプリングとしての引っ張りスプリング２９が前記クランプ用可動フレーム１５と前記固定フレーム９との間に設けられている。
【０００８】
また、前記クランプ用固定フレーム７の内側で前記分離工具用移動フレーム２１のストロークエンドすなわち、図９において前記可動フレーム５には、前記分離工具用移動フレーム２１をロックせしめるロック機構としてのプランジャー４１が設けられていると共に、前記分離工具用移動フレーム２１の下部にはロック溝４３が形成されている。また、前記クランプ用可動フレーム１５の内側で前記分離工具用移動フレーム２１のストロークエンドすなわち、図９において前記クランプ用可動フレーム１５の内側側面には前記分離工具用移動フレーム２１をロックせしめるロック機構としてのマグネット４５が埋め込まれている。
【０００９】
上記構成により、多心光ファイバテープ心線Ｔを固定して各光ファイバ心線に分離せしめるには、まず、前記クランプ用固定フレーム７の上部に備えられた固定クランプ１３に多心光ファイバテープ心線Ｔの一端を固定せしめる。次いで、クランプ用可動フレーム１５上に備えられた可動クランプ１７に前記多心光ファイバテープ心線Ｔの他端を固定せしめる。この状態で、分離工具用移動フレーム２１をスライドレール１１に沿って前記クランプ用固定フレーム７側のストロークエンドに移動させると、分離工具用移動フレーム２１の下部に形成されたロック溝４３に前記可動フレーム５に設けられたプランジャー４１がはまり込み、分離工具用移動フレーム２１が一旦ロックされる。
【００１０】
そして、前記分離工具装置１９における分離工具２５の上下刃で前記多心光ファイバテープ心線Ｔを把持させてた後、工具押さえ装置２７で分離工具装置１９を押さえる。この状態で、分離工具用移動フレーム２１がスライドレール１１に沿って前記クランプ用固定フレーム７側からクランプ用可動フレーム１５側へ向けて移動されることにより、分離工具用移動フレーム２１がアンロックされた後、分離工具装置１９も一緒に固定クランプ側１３から可動クランプ１７側へ向けて移動される。そして、前記クランプ用可動フレーム１５の内側側面に埋め込まれているマグネット４５で分離工具用移動フレーム２１がロックされる。その結果、分離工具２５の上下刃により前記多心光ファイバテープ心線Ｔが各光ファイバ心線に分離されることになる。
【００１１】
図１２には多心光ファイバテープ心線の単心分離装置１をクロージャ４９におけるクロージャフレーム５１の前部に取り付けた状態が示されている。図１２において、クロージャフレーム５１の前部の下部に設けられた取付部材５３に、多心光ファイバテープ心線の単心分離装置１における前記固定用脚部３Ｒ、３Ｌの後端部（図１２において右端部）に設けられた固定装置５５としてのＵ字形状の溝５７の上部部分５９が挿入され、前記固定用脚部３Ｒ、３Ｌの下方からボルト５８により固定される。そして、前記固定用脚部３Ｒ、３Ｌに対して前記可動フレーム５が前後方向（図１２において左右方向）へ移動可能に設けられているから、光ケーブルＫの径に合わせて前記固定用脚部３Ｒ、３Ｌに対して前記可動フレーム５を前後方向へ移動させることができる。
【００１２】
その結果、前記固定用脚部３Ｒ、３Ｌをクロージャ４９のクロージャフレーム５１に固定すべく前記固定用脚部３Ｒ、３Ｌに固定装置５５が設けられているため、安定した分離作業を行うことができる。また、前記固定用脚部３Ｒ、３Ｌに対して可動フレーム５が前後方向へ移動可能に設けられているため、クロージャ４９内の光ケーブル中心位置に固定クランプ１３、可動クランプ１７を光ケーブルＫの径に合わせて近づけることを可能とし、心線余長を極力抑制して分離することを可能にする。このことにより光ケーブルＫの光ファイバ心線引き出し長が短くなりクロージャを小型化にすることができる。
【００１３】
また、前記クランプ用固定フレーム７の内側および前記クランプ用可動フレーム１５の内側の前記分離工具用移動フレーム２１のストロークエンドに、前記分離工具用移動フレーム２１をロックせしめるロック機構としてプランジャー４１、マグネット４５が備えられていることにより、不安定なクロージャ４９内の作業で多心光ファイバ心線単心分離装置１が傾いても工具台２３が動かないので、多心光ファイバテープ心線Ｔにダメージを与える可能性をなくすることができる。
【００１４】
【特許文献１】特開２００４−１２６１３０号公報
【発明の開示】
【発明が解決しようとする課題】
【００１５】
しかしながら、上記従来の多心光ファイバテープ心線単心分離装置は、以下のような課題を有していた。
１.  クロージャに取り付けるための固定装置５５が下方に配置されており、クロージャの種類によっては取り付けが困難であった。
２.  クロージャの種類によって光ケーブルの導入高さが異なり、且つクロージャ内の分離・接続作業において、多心光ファイバテープ心線の余長が決まっているため、作業を行いやすい位置まで多心光ファイバテープ心線を引き出し、分離作業を行うことができない。
３.  クロージャの種類によって、分離後の接続形態により必要な心線余長が異なるため、分離後の接続作業を行うことができない。
【課題を解決するための手段】
【００１６】
本発明は、かかる点に鑑みなされたもので、互いに間隔を隔てて配置された一対の側壁と、この両側壁を結合するように固定された互いに平行に配置された複数のガイドレールと、これらのガイドレール上をスライド可能としこれらガイドレールの少なくとも１つに固定可能な一対のクランプ台と、この一対のクランプ台間で前記ガイドレール上をスライドする工具台とを含み、前記一対のクランプ台には多心光ファイバテープ心線の長手方向の互いに離れた位置を把持する光ファイバ把持部を備え、工具台には光ファイバ把持部で把持された多心光ファイバテープ心線を分離する分離工具を備え、一対の側壁の上部にはクロージャフレームの上部に吊り下がる係合片が配置されたことを特徴とする。
【発明の効果】
【００１７】
本発明は、側壁の上部にクロージャフレームの上部に吊り下がる係合片が配置されたことにより、下方からガイドレール等を支える支柱が不要となり、多心光ファイバテープ心線を引き出し、分離作業を行うことがでる。また、一対のクランプ台をガイドレール上でスライド可能としこれらガイドレールの少なくとも１つに固定可能にしたことにより、多心光ファイバテープ心線の分離する長さを容易に調整することができる。
【発明を実施するための最良の形態】
【００１８】
本発明は以下の実施形態を採用することができる。
側壁は、コ字形状の上下一方の辺を逆方向に回転させた断面形状を有し、その下辺部に複数のガイドレールが固定されたことを特徴とする。
更に、係合片は上記上辺部からの高さ方向の距離が調整可能に取り付けられていることを特徴とする。        
更に、係合片は側壁からの奥行きの距離が調整可能に取り付けられていることを特徴とする。
これらの手段により、種類の異なる複数のクロージャに対してそれぞれ適切にして分離作業を行うことができる。
【実施例１】
【００１９】
以下、図示した実施例により本願発明を説明する。図１〜図４は本発明の１実施例における多心光ファイバテープ心線の分離装置６０を示したものである。図において、６１は一対の側壁、６２はこの両側壁６１を互いに橋渡しするように結合・固定された互いに平行に配置された複数のガイドレール、６３はこれらのガイドレール６２上をスライド可能に配置された一対のクランプ台、６４は前記一対のクランプ台６３間で前記ガイドレール６２上をスライドするように配置された工具台、６５は一対のクランプ台６３の先端部にそれぞれ配置された光ファイバ把持部、６６は工具台６４の先端部に配置された分離工具、６７は側壁６１の上部に配置されクロージャフレームの上部に吊り下がる係合片である。
【００２０】
側壁６１は、図４に示すように、コ字形状の上下一方の辺を逆方向に回転させた断面形状に形成されている。更に、両側壁６１の下辺部６１ａには、これらを橋渡しするように二本のガイドレールが平行に保つように一体に固着されている。また、この側壁６１の上部６２ｂの位置には、図５に示すように、水平に形成された二本の貫通孔をその一方の端部で連絡した係合穴６１ｃが一対形成されている。
【００２１】
一対のクランプ台６３は、それぞれ、その一端側にガイドレールの外径よりもやや大きな内径を有する貫通穴が両ガイドレール６２の間隔で設けられ、その貫通孔がガイドレール６２を包むようにして、ガイドレール６２の長手方向に移動できるようになっている。また一方のクランプ台６３ａの外側には、図示しないスプリングを介して一方のクランプ台６３ａと結合した補助クランプ台６３'が配置されている。この補助クランプ台６３'はクランプ台６３に形成された貫通孔と同様に貫通孔が形成され、この貫通孔がガイドレール６２の外側を包みながらクランプ台６３ａと同期して移動するようになっている。
【００２２】
他方のクランプ台６３及び補助クランプ台６３'には、それぞれガイドレール６２の一つと対向する位置にボールプランジャ６２ｃが取り付けられ、また、このガイドレール６２の外周にはボールプランジャ６３ｃのボールの一部を受容できる複数の窪み６２ａが形成され、他方のクランプ台６３及び補助クランプ台６３'をガイドレール６２に沿って移動させたときにボールの一部が窪み６２ａに嵌まり、その窪み６２ａの位置を感触できるようになっている。
更に他方のクランプ台６３及び補助クランプ台６３'には、それぞれ前記ガイドレール６２の一つと対向する位置にクランプ台固定螺子６３ｂが配置されている。
【００２３】
補助クランプ台６３'には、支点６３'ａを中心にして回転するテンションレバー６３'ｂは配置され、このテンションレバー６３'ｂを回転させることにより、補助クランプ台６３'とクランプ台６３ａとが図示しないスプリングにより互いに近づく方向に付勢された間隔を広げたり近づけたり調整できるようになっている。図示では補助クランプ台６３'とクランプ台６３ａとを互いに遠ざけた状態が示されており、テンションレバー６３'ｂを図１の矢印方向に回転させることにより、その間隔を狭めることができる。
【００２４】
光ファイバ把持部６５は、従来例における固定クランプ１３及び可動プランプ１７と同様に、多心光ファイバテープ心線Ｔの被覆層を包囲して多心光ファイバテープ心線Ｔを把持できるようになっている。
【００２５】
分離工具６６は、従来例における分離工具２５と同様に、固定クランプ１３と可動プランプ１７とによって把持され直線状に配置された多心光ファイバテープ心線を包囲して、多心光ファイバの長手方向に移動することにより、その中に配置された刃が多心光ファイバテープの被覆層を切断して分離できるようになっている。
【００２６】
係合片６７は、その先端にクロージャの上部と係合する下向きの凹部６７ａが形成されている。更に係合片６７は、図５に示すように、一対の係合穴６１ｃに嵌め込まれる一対のピン６７ｂが取り付けられ、また更にダイヤル螺子６７ｃが取り付けられ、係合片６７とダイヤル螺子６７ｃとの間に側壁６１を挟み込み、ダイヤル螺子６７ｃを締め付けることにより、側壁６１の上部６２ｂの位置に一体に取り付けられている。更に係合片６７には凹部６７ａに貫通するダイヤル螺子６７ｄが配置されている。
【００２７】
この際、ピン６７ｂの配置位置を係合穴６１ｃの水平位置で変化させることにより、図４の矢印方向に位置をずらして固定することができ、これにより、側壁６１からの奥行きの距離を調整することができるようになっている。
【００２８】
また、係合片６７は、図６に示すように、ピン６７ｂの配置位置を係合穴６１ｃの上下の貫通孔の位置で変化させることにより、側壁６１の上辺部６１ｂからの高さ方向の距離を変えることができるようになっている。
【００２９】
図７は、上記実施例による多心光ファイバテープ心線の分離装置６０をクロージャフレーム７０に取り付け、多心光ファイバテープ心線Ｔを分離する作業を行う際の取り付け状態を示すものである。図７には、係合片６７の凹部６７ａにクロージャフレーム７０の上部フランジ７１が嵌め込まれ、ダイヤル螺子６７ｄによって締め付けられて固定されている状態が示されている。この固定に際しては、クロージャの種類に応じて、係合片６７のピン６７ｂの配置位置が係合穴６１ｃ適宜の位置に予め庁瀬されて前記高さや奥行きの調整がなされて上下の貫通孔の位置で変化させることにより予めダイヤル螺子６７ｄで固定されている。一対のクランプ台６３はクランプ台固定螺子６３ｂが緩められた状態でクランプ台６３をガイドレール６２に沿って移動し、所定箇所の窪み６２ａにボールプランジャ６３ｃのボールを位置させ、クロージャの種類に応じた間隔に予め調整されてクランプ台固定螺子６３ｂで締め付け固定される。
【００３０】
分離装置６０がクロージャに上記のように取り付けられた状態で、多心光ファイバテープ心線を分離するには、最初に、ＳＺ光ケーブル等によってクロージャ内に引き込まれたに多心光ファイバテープ心線の１本を取り出し、クランプ台に取り付けられた光ファイバ把持部６５によって多心光ファイバテープ心線Ｔを、弛みが少なくした状態て把持し、その後、テンションレバー６３'ｂを図１の矢印方向に回転させる。これにより、図示しないスプリングにより、多心光ファイバテープ心線Ｔがスプリングの引っ張り力により光ファイバ把持部６５間に一定張力で配置される。
【００３１】
次に、工具台６４を図１に示すようにクランプ台６３に接触配置させた状態で、分離工具６６が多心光ファイバテープ心線Ｔを包囲するようにセットする。
次に、工具台６４をガイドレール６２に沿ってクランプ台６３ａの方向に移動させ、クランプ台６３ａと接触するまで移動させる。これにより、単心分離工具６６内に配置された刃によって多心光ファイバテープ心線Ｔの被覆層が切断されて、多心光ファイバテープ心線Ｔが分離される。
【００３２】
本実施例は上述のようにクロージャの種類に応じて多心光ファイバテープ心線Ｔの分離長を適宜調整することができ、クロージャの種類に応じてクロージャフレームの奥行き、高さを調整できる。更に本願発明の多心光ファイバテープ心線の分離装置は上部でクロージャフレームを把持するようにしたので、分離装置の下方がフリースペースとなって、クロージャ内の他の光ファイバ心線の配線などを妨害することがない特徴を有する。
【００３３】
なお、本実施例は、特定の光ファイバ把持部や分離工具を説明しているが、本願発明は、これら従来公知のものを種々変更して適用することができる。
【図面の簡単な説明】
【００３４】
【図１】本発明の一実施例を示す平面図。
【図２】本発明の一実施例を示す正面図。
【図３】本発明の一実施例を示す底面図。
【図４】本発明の一実施例を示す右側面図。
【図５】図２のＡ−Ａ線における断面図。
【図６】本発明の他の実施例における断面図。
【図７】本発明の一実施例をクロージャに取り付けた状態の要部断面側面図。
【図８】従来の一例を示す平面図。
【図９】従来の一例を示す正面図。
【図１０】図９のＢ−Ｂ線における断面図。
【図１１】図９のＣ−Ｃ線における断面図。
【図１２】従来の一例をクロージャに取り付けた状態の側面図。
【符号の説明】
【００３５】
６０    分離装置
６１    側壁
６１ａ    下辺部
６１ｂ    上辺部
６１ｃ    係合穴
６２    ガイドレール
６２ａ    窪み
６２ｂ    上部
６２ｃ    ボールプランジャ
６３    クランプ台
６３ａ    一方のクランプ台
６３ｂ    クランプ台固定螺子
６３ｃ    ボールプランジャ
６３'    補助クランプ台
６３'ａ    支点
６３'ｂ    テンションレバー
６４    工具台
６５    光ファイバ把持部
６６    分離工具
６７    係合片
６７ａ    凹部
６７ｂ    ピン
６７ｃ    ダイヤル螺子
６７ｄ    ダイヤル螺子
７０    クロージャフレーム
７１    上部フランジ
Ｔ    多心光ファイバテープ心線
【図１】
2007163522.tif 000003
【図２】
2007163522.tif 000004
【図３】
2007163522.tif 000005
【図４】
2007163522.tif 000006
【図５】
2007163522.tif 000007
【図６】
2007163522.tif 000008
【図７】
2007163522.tif 000009
【図８】
2007163522.tif 000010
【図９】
2007163522.tif 000011
【図１０】
2007163522.tif 000012
【図１１】
2007163522.tif 000013
【図１２】
2007163522.tif 000014